(57)【特許請求の範囲】
【請求項１】
筐体に、表示パネルが嵌め込まれると共に、正面方向が上記表示パネルの正面方向とは異なる方向となるようにスピーカが取り付けられてなる表示装置であって、
入力音声信号に対して直列的に処理を施し、上記スピーカを駆動するための出力音声信号を得る２つの音声信号処理部を備え、
一方の音声信号処理部は、上記入力音声信号に対して、上記スピーカの正面位置である第１の測定位置で測定されたインパルス応答の逆特性を実現するフィルタにより補正処理を行い、
他方の音声信号処理部は、上記入力音声信号に対して、上記表示パネルの正面位置である第２の測定位置で測定されたインパルス応答の逆特性を実現するフィルタにより補正処理を行う
表示装置。
【請求項２】
上記他方の音声信号処理部のフィルタのフィルタ係数群として複数のフィルタ係数群を保持するフィルタ係数群保持部と、
上記フィルタ係数群保持部で保持されている複数のフィルタ係数群から任意のフィルタ係数群を選択するフィルタ係数群選択部と、
上記フィルタ係数群選択部で選択されたフィルタ係数群を、上記他方の音声信号処理部のフィルタに設定するフィルタ係数設定部とをさらに備える
請求項１に記載の表示装置。
【請求項３】
上記フィルタ係数群保持部で保持される複数のフィルタ係数群は、上記筐体の設置状況に応じた複数のフィルタ係数群である
請求項２に記載の表示装置。
【請求項４】
上記第２の測定位置でインパルス応答を測定するインパルス応答測定部と、
上記インパルス応答測定部で測定されたインパルス応答の逆特性を実現するフィルタのフィルタ係数群を算出するフィルタ係数群算出部と、
上記フィルタ係数群算出部で算出されたフィルタ係数群を、上記他方の音声信号処理部のフィルタに設定するフィルタ係数設定部とをさらに備える
請求項１に記載の表示装置。
【請求項５】
筐体に、表示パネルが嵌め込まれると共に、正面方向が上記表示パネルの正面方向とは異なる方向となるようにスピーカが取り付けられてなる表示装置の音声信号処理方法であって、
入力音声信号に対して直列的に処理を施し、上記スピーカを駆動するための出力音声信号を得る２つの音声信号処理ステップを有し、
一方の音声信号処理ステップでは、上記入力音声信号に対して、上記スピーカの正面位置である第１の測定位置で測定されたインパルス応答の逆特性を実現するフィルタにより補正処理を行い、
他方の音声信号処理ステップでは、上記入力音声信号に対して、上記表示パネルの正面位置である第２の測定位置で測定されたインパルス応答の逆特性を実現するフィルタにより補正処理を行う
音声信号処理方法。
【請求項６】
筐体に、表示パネルが嵌め込まれると共に、正面方向が上記表示パネルの正面方向とは異なる方向となるようにスピーカが取り付けられてなる表示装置のコンピュータを、
入力音声信号に対して直列的に処理を施し、上記スピーカを駆動するための出力音声信号を得る２つの音声信号処理手段として機能させ、
一方の音声信号処理手段は、上記入力音声信号に対して、上記スピーカの正面位置である第１の測定位置で測定されたインパルス応答の逆特性を実現するフィルタにより補正処理を行い、
他方の音声信号処理手段は、上記入力音声信号に対して、上記表示パネルの正面位置である第２の測定位置で測定されたインパルス応答の逆特性を実現するフィルタにより補正処理を行う
プログラム。
【発明の詳細な説明】
【技術分野】
【０００１】
この発明は、表示装置、音声信号処理方法およびプログラムに関する。
【背景技術】
【０００２】
音響機器等の音声信号処理を行う機器（以下、音声信号処理機器）において、音源から取得した音声信号に対してデジタルフィルタ処理等の補正処理を施す技術がある。音声信号処理機器は、補正処理された音声信号をスピーカ等から出力することにより、スピーカ等から出力される音声の音質、音響効果等を向上させることが可能である。
【０００３】
このような補正処理のひとつとして、スピーカ特性の補正がある。スピーカ特性とは、スピーカの口径、内部構造などによって異なる、スピーカの周波数特性を意味する。ここで、スピーカの周波数特性は、スピーカに入力された音声信号とスピーカから出力される音声信号の位相の時間的なずれである位相特性や強度比である振幅特性などである。
【０００４】
音声信号に補正処理を施すことによりスピーカ特性を補正することが可能な音声信号処理機器として、例えば特許文献１に記載の信号処理装置がある。この信号処理装置は、入力オーディオ信号の低周波数帯域信号の増幅と、高周波数帯域へのシフトとを組み合わせて小型スピーカの低域成分の改善を図るものである。
【先行技術文献】
【特許文献】
【０００５】
【特許文献１】特開２００９−５５０７９号公報
【発明の概要】
【発明が解決しようとする課題】
【０００６】
スピーカシステムに対し、その逆フィルタ処理で高音質化を実現する技術が存在する。しかし、スピーカが正面向きに設置されていない音声再生システムに対しては、聴取位置において特性が最適化されておらず、十分な高音質化が得られないという問題がある。
【０００７】
昨今、製品の薄型化、小型化により、スピーカ取り付け位置に変化が生じている。特にデザインを重視した設計においてはスピーカを外側から見えなくしてしまういわゆるインビジブル・スピーカ・デザインが主流となってきており、これまでのような製品の正面方向を向いたスピーカ製品は減少してきている。
【０００８】
このような製品に対しては、従来の逆フィルタ処理でスピーカ高音質化処理をしたとしても、実際にユーザが製品を使う位置、聴取位置において特性が最適化されているとは言えず、期待した効果が得られていないのが現状である。
【０００９】
この発明の目的は、スピーカが正面向きに配置されていない音声再生システムに対し、高音質化を施すことが可能な音声信号処理装置などを提供することにある。
【課題を解決するための手段】
【００１０】
この発明の概念は、
筐体に、表示パネルが嵌め込まれると共に、正面方向が上記表示パネルの正面方向とは異なる方向となるようにスピーカが取り付けられてなる表示装置であって、
入力音声信号に対して直列的に処理を施し、上記スピーカを駆動するための出力音声信号を得る２つの音声信号処理部を備え、
一方の音声信号処理部は、上記入力音声信号に対して、上記スピーカの正面位置である第１の測定位置で測定されたインパルス応答の逆特性を実現するフィルタにより補正処理を行い、
他方の音声信号処理部は、上記入力音声信号に対して、上記表示パネルの正面位置である第２の測定位置で測定されたインパルス応答の逆特性を実現するフィルタにより補正処理を行う
表示装置にある。
【００１１】
この発明において、２つの音声信号処理部により、入力音声信号に対して直列的に処理が施されて、スピーカを駆動するための出力音声信号が得られる。一方の音声信号処理部では、入力音声信号に対して、スピーカの正面位置である第１の測定位置で測定されたインパルス応答の逆特性を実現するフィルタにより、補正処理が行われる。また、他方の音声信号処理部では、入力音声信号に対して、スピーカの正面位置とは異なる位置である第２の測定位置で測定されたインパルス応答の逆特性を実現するフィルタにより、補正処理が行われる。
【００１２】
このように、この発明においては、一方の音声信号処理部の補正処理により、スピーカが持つ固有の音圧周波数特性や位相特性の乱れが補正される。また、他方の音声信号処理部の補正処理により、聴取位置がスピーカの正面位置とは異なることによる、音圧周波数特性や位相特性の乱れが補正される。したがって、スピーカが正面向きに配置されていないシステムに対し、高音質化を施すことが可能となる。
【００１３】
なお、この発明において、例えば、他方の音声信号処理部のフィルタのフィルタ係数群として複数のフィルタ係数群を保持するフィルタ係数群保持部と、このフィルタ係数群保持部で保持されている複数のフィルタ係数群から任意のフィルタ係数群を選択するフィルタ係数群選択部と、このフィルタ係数群選択部で選択されたフィルタ係数群を、他方の音声信号処理部のフィルタに設定するフィルタ係数設定部とをさらに備える、ようにされてもよい。
【００１４】
例えば、フィルタ係数群保持部で保持される複数のフィルタ係数群は、スピーカの設置状況に応じた複数のフィルタ係数群であってもよい。スピーカの設置状況とは、例えば、スピーカを含む音声再生システム（フォトフレームなど）が壁掛け状態にあるか、リビングテーブル（壁際）にあるか、リビングテーブル（中央）、ベッドサイドにあるか、玄関にあるか、などである。
【００１５】
また、例えば、フィルタ係数群保持部で保持される複数のフィルタ係数群は、聴取位置に応じた複数のフィルタ係数群であってもよい。例えば、スピーカを含む車載音声再生システムにおいて、運転席で聴くか、助手席で聴くか、後部座席で聴くか、などである。
【００１６】
聴取位置における音圧周波数特性や位相特性の乱れは、スピーカの設置状況、あるいは聴取位置自体によって、変化する。スピーカの設置状況、あるいは聴取位置に応じた複数のフィルタ係数群を保持しておき、他方の音声信号処理部のフィルタに選択的に設定可能とすることで、スピーカの設置状況、あるいは聴取位置に依らずに高音質化が可能となる。
【００１７】
また、この発明において、例えば、スピーカは、画像表示を行う表示パネルに一体的に配設されており、他方の音声信号処理部のフィルタ係数群として、表示パネルの設置角度に応じた複数のフィルタ係数群を保持するフィルタ係数群保持部と、表示パネルの設置角度を検出する設置角度検出部と、設置角度検出部の検出出力に基づいて、フィルタ係数群保持部で保持されている複数のフィルタ係数群から、表示パネルの設置角度に対応したフィルタ係数群を取り出して、他方の音声信号処理部のフィルタに設定するフィルタ係数設定部とをさらに備える、ようにされてもよい。
【００１８】
例えば、デジタルフォトフレームを構成する表示パネルなどの場合、その設置角度として、横置きおよび縦置きの２つの設置角度が存在する。また、例えば、ビデオカメラを構成する表示パネルなどの場合、その設置角度として、ビデオカメラ本体に対する表示パネルの開き角に対応した複数の設置角度が存在する。
【００１９】
表示パネルの設置角度により、聴取位置における音圧周波数特性や位相特性の乱れが変化する。表示パネルの設置角度に応じた複数のフィルタ係数群を保持しておき、他方の音声信号処理部のフィルタに表示パネルの設置角度に対応したフィルタ係数群が自動的に設定されることで、表示パネルの設置角度に依らずに高音質化が可能となる。
【００２０】
また、この発明において、例えば、第２の測定位置でインパルス応答を測定するインパルス応答測定部と、このインパルス応答測定部で測定されたインパルス応答の逆特性を実現するフィルタのフィルタ係数群を算出するフィルタ係数群算出部と、このフィルタ係数群算出部で算出されたフィルタ係数群を、他方の音声信号処理部のフィルタに設定するフィルタ係数設定部とをさらに備える、ようにされてもよい。
【００２１】
この場合、第２の測定位置で測定されたインパルス応答の逆特性を実現するフィルタのフィルタ係数群を算出して、このフィルタ係数群を、他方の音声信号処理部のフィルタに設定できる。そのため、第２の測定位置を聴取位置（リスニングポイント）とすることで、聴取位置における音圧周波数特性や位相特性の乱れを確実に補正できる。つまり、ユーザの実際の使用環境に依らずに高音質化が可能となる。
【発明の効果】
【００２２】
この発明によれば、スピーカが正面向きに配置されていない音声再生システムに対し、高音質化を施すことができ、原音忠実再生による自然な再生音や明瞭な音像定位を実現できる。
【図面の簡単な説明】
【００２３】
【図１】この発明の第１の実施の形態としてのデジタルフォトフレームの構成例を示すブロック図である。
【図２】デジタルフォトフレームの外観を示す図である。
【図３】音声信号処理部として使用されるデジタルフィルタの構成例を示す図である。
【図４】スピーカのスピーカ特性を補正するための音声信号処理部におけるフィルタ係数群を求める際のインパルス応答測定を説明するための図である。
【図５】スピーカのスピーカ特性を補正するための音声信号処理部のフィルタ係数群を求める際の音声系の構成を示す図である。
【図６】スピーカ正面位置で測定されたインパルス応答と、それに対応した振幅周波数特性の一例を示す図である。
【図７】スピーカ正面位置で測定されたインパルス応答の逆特性インパルス応答と、それに対応した振幅周波数特性の一例を示す図である。
【図８】スピーカ正面位置の逆特性インパルス応答を実現するフィルタで補正処理を施した場合におけるインパルス応答と、それに対応した振幅周波数特性の一例を示す図である。
【図９】聴取位置におけるスピーカのスピーカ特性を補正するための音声信号処理部のフィルタ係数群を求める際のインパルス応答測定を説明するための図である。
【図１０】聴取位置におけるスピーカのスピーカ特性を補正するための音声信号処理部のフィルタ係数群を求める際の音声系の構成を示す図である。
【図１１】聴取位置で測定されたインパルス応答と、それに対応した振幅周波数特性の一例を示す図である。
【図１２】聴取位置で測定されたインパルス応答の逆特性インパルス応答と、それに対応した振幅周波数特性の一例を示す図である。
【図１３】聴取位置の逆特性インパルス応答を実現するフィルタで補正処理を施した場合におけるインパルス応答と、それに対応した振幅周波数特性の一例を示す図である。
【図１４】この発明の第２の実施の形態としてのデジタルフォトフレームの構成例を示すブロック図である。
【図１５】デジタルフォトフレームの設置状況（設置位置）の一例を説明するための図である。
【図１６】制御部におけるフィルタ係数設定の処理手順の一例を示すローチャートである。
【図１７】この発明の第３の実施の形態としてのデジタルフォトフレームの構成例を示すブロック図である。
【図１８】デジタルフォトフレームの横置き状態、縦置き状態を示す図である。
【図１９】制御部におけるフィルタ係数設定の処理手順の一例を示すフローチャートである。
【図２０】この発明の第４の実施の形態としてのテレビ受信機の構成例を示すブロック図である。
【図２１】テレビ受信機の外観を示すと共に、聴取位置におけるスピーカのスピーカ特性を補正するための音声信号処理部のフィルタ係数群を求める際のインパルス応答測定を説明するための図である。
【図２２】制御部におけるフィルタ係数設定の処理手順の一例を示すローチャートである。
【図２３】聴取位置におけるスピーカのスピーカ特性を補正するための音声信号処理部のフィルタ係数群を求める際の音声系の構成を示す図である。
【図２４】車内における聴取位置の一例を示す図である。
【発明を実施するための形態】
【００２４】
以下、発明を実施するための形態（以下、「実施の形態」とする）について説明する。なお、説明を以下の順序で行う。
１．第１の実施の形態
２．第２の実施の形態
３．第３の実施の形態
４．第４の実施の形態
５．変形例
【００２５】
＜１．第１の実施の形態＞
［デジタルフォトフレームの構成例］
図１は、第１の実施の形態としてのデジタルフォトフレーム１００の構成例を示している。このデジタルフォトフレーム１００は、制御部１０１と、ユーザ操作部１０２と、内蔵メモリ１０３と、外部メモリインタフェース１０４と、通信インタフェース１０５と、画像／音声出力部１０６とを有し、各部は内部バス１０７により互いに接続されている。
【００２６】
制御部１０１は、デジタルフォトフレーム１００の各部を制御する。制御部１０１は、ＣＰＵ、ＲＯＭ、ＲＡＭ等を備えている。ＲＯＭは、ＣＰＵの制御プログラム等を記憶している。ＲＡＭは、ＣＰＵの制御処理に必要なデータの一時記憶等に用いられる。ＣＰＵは、ＲＯＭから読み出したプログラムやデータをＲＡＭ上に展開してプログラムを起動し、デジタルフォトフレーム１００の各部を制御する。
【００２７】
ユーザ操作部１０２は、ユーザインタフェースを構成し、制御部１０１に接続されている。このユーザ操作部１０２は、例えば、デジタルフォトフレーム１００の図示しない筐体面に配置されたキー、釦、ダイアル等で構成される。ユーザは、ユーザ操作部１０２を用いて、デジタルフォトフレーム１００の電源のオン／オフの操作、再生の開始／停止操作、その他の操作を行うことができる。
【００２８】
内蔵メモリ１０３は、例えば、フラッシュメモリで構成された、画像信号（画像ファイル）、音声信号（音楽信号）などを保存するメモリである。この画像信号、音声信号は、例えば、メモリカード等からコピーすることで取得され、あるいは、ネットワークを通じて取得される。外部メモリインタフェース１０４は、メモリカードスロット、ＵＳＢメモリポートなどを備える。通信インタフェース１０５は、インターネット等のネットワークを通じて外部機器と通信を行う。
【００２９】
画像／音声出力部１０６について説明する。最初に、画像系を説明する。画像／音声出力部１０６は、画像系として、重畳部１１１と、パネル駆動部１１２と、表示パネル１１３を有している。パネル駆動部１１２は、重畳部１１１を通じて供給される画像信号ＳＶから、表示パネル１１３に画像を表示するために必要となるパネル駆動信号を生成する。パネル駆動部１１２で生成されたパネル駆動信号は表示パネル１１３に送られ、表示パネル１１３がパネル駆動信号に応じて動作することで、画像が表示パネル１１３に表示される。
【００３０】
表示パネル１１３は、パネル駆動部１１２から送られてくるパネル駆動信号に基づいて画像を表示する。表示パネル１１３は、例えば、ＬＣＤ（Liquid Crystal Display）で構成されるが、有機ＥＬ（electro-luminescence）パネルなどであってもよい。
【００３１】
重畳部１１１は、制御部１０１の制御のもとで発生されるＧＵＩ（Graphical User Interface）画面用の表示信号Ｓuiを、画像信号ＳＶに重畳して、パネル駆動部１１２に供給する。このように、画像信号ＳＶに表示信号Ｓuiが重畳されることで、表示パネル１１３には、画像に重ねて、メニュー表示などのユーザインタフェース画面が表示される。
【００３２】
図２は、デジタルフォトフレーム１００の外観を示している。このデジタルフォトフレーム１００は、全体として長方形状に形成されており、長方形状のフレーム１１４に、表示パネル１１３が嵌め込まれた構成とされている。スピーカ１２５は、破線図示するように、背面に備えられている。なお、スピーカ１２５は、ステレオ再生のために、左音声用と右音声用との２つが設けられている。
【００３３】
図１に戻って、次に、音声系について説明する。なお、実際には左音声用と右音声用の２つの音声系があるが、各音声系は同様に構成されているので、ここでは、１つの音声系のみを説明することとする。画像／音声出力部１０６は、音声系として、音声信号処理部（音声信号処理部（Ａ））１２１と、音声信号処理部（音声信号処理部（Ｂ））１２２と、Ｄ／Ａ変換器１２３と、アンプ１２４と、スピーカ１２５とを有している。
【００３４】
音声信号処理部１２１は一方の音声信号処理部を構成し、音声信号処理部１２２は他方の音声信号処理部を構成している。この実施の形態において、音声信号処理部１２１が前段にあり音声信号処理部１２２が後段にあるが、この順序は逆とされていてもよい。音声信号処理部１２１，１２２は、入力音声信号としての音声信号（音楽信号）ＳＡに対して直列的に処理を施し、スピーカ１２５を駆動するための出力音声信号を得る。
【００３５】
音声信号処理部１２１は、音声信号ＳＡに対して、スピーカ１２５の正面位置で測定されたインパルス応答の逆特性を実現するフィルタにより補正処理を行う。また、音声信号処理部１２２は、音声信号ＳＡに対して、スピーカ１２５の正面位置とは異なる位置で測定されたインパルス応答の逆特性を実現するフィルタにより補正処理を行う。ここで、スピーカ１２５の正面位置とは異なる位置は、デジタルフォトフレーム１００の聴取位置である。
【００３６】
音声信号処理部１２１，１２２は、ＦＩＲ（Finite Impulse Response：有限インパルス応答）フィルタ、あるいはＩＩＲ（Infinite impulse response：無限インパルス応答）フィルタ等のデジタルフィルタにより構成される。図３は、音声信号処理部１２１，１２２として使用されるデジタルフィルタＦの一例を示している。
【００３７】
デジタルフィルタＦは、それぞれ複数個の遅延ブロック１１、乗算器１２および加算器１３を有する。デジタルフィルタＦに入力された入力信号ＳｉｇＸは各遅延ブロック１１においてＺ変換（離散信号に対するラプラス変換）され、１クロックずつ遅延される。遅延された信号はそれぞれ乗算器１２において所定のフィルタ係数群ｈ（フィルタ係数ｈ0〜ｈNのセット）が乗算される。乗算器１２を通過した各信号は加算器１３によって足し合わされ、出力信号ＳｉｇＹとして出力される。音声信号処理部１２１，１２２を構成するデジタルフィルタＦのフィルタ係数群ｈの詳細については後述する。
【００３８】
Ｄ／Ａ変換器１２３は、音声信号処理部１２２で得られた音声信号を、デジタル信号からアナログ信号に変換する。また、アンプ１２４は、Ｄ／Ａ変換器１２３で得られたアナログの音声信号を増幅して、スピーカ１２５に供給する。スピーカ１２５は、アンプ１２４から供給される音声信号に対応した音声を出力する。
【００３９】
［音声信号処理部のフィルタ係数群の決定］
音声信号処理部１２１は、上述したように、スピーカ１２５の正面位置で測定されたインパルス応答の逆特性を実現するフィルタにより補正処理を行う。すなわち、この音声信号処理部１２１を構成するデジタルフィルタＦのフィルタ係数群ｈは、以下のようにして決定される。
【００４０】
フィルタ係数群ｈの決定は、スピーカ１２５の正面位置で測定されたインパルス応答の測定結果を基に行う。図４に示すように、インパルス応答の測定は、スピーカ１２５と、このスピーカ１２５と所定距離をおいて対向するマイク１３１を用いて行う。スピーカ１２５にＴＳＰ（Time Stretched Pulse：時間引き伸ばしパルス）信号などの測定用信号を供給し、このスピーカ１２５から放音させる。その音声を、マイク１３１を用いて測定し、インパルス応答を得る。図５は、この場合の音声系の構成を示している。この場合、測定用信号は、Ｄ／Ａ変換器１２３でデジタル信号からアナログ信号に変換され、さらに、アンプ１２４で増幅された後に、スピーカ１２５に供給される。
【００４１】
図６（ａ）は、マイク１３１で測定されたインパルス応答の例を示す。同図に示すグラフの横軸は時間であり縦軸は振幅である。図６（ａ）に示したインパルス応答をフーリエ変換（時間領域信号を周波数領域信号へ変換）することにより、図６（ｂ）に示す振幅周波数特性を得ることができる。同図に示すグラフの横軸は周波数であり、縦軸は振幅である。図６（ａ），（ｂ）に示したようなスピーカ１２５の特性が、スピーカ特性である。
【００４２】
音声信号処理部１２１を構成するデジタルフィルタＦのフィルタ係数群ｈは、図６（ａ），（ｂ）に示したスピーカ１２５のスピーカ特性が理想的なスピーカ特性に補正されるように、決定される。理想的なスピーカ特性とは、スピーカ１２５のインパルス応答を測定した際と同一の距離をおいて理想的なスピーカとマイクが対向しているとして、マイクに集音されるべきインパルス応答およびその周波数特性である。ここでは、理想的なスピーカ特性として、インパルスのピークが先鋭であり、周波数特性がフラットなものを例とするが、これには限られず、任意に設定可能である。
【００４３】
音声信号処理部１２１を構成するデジタルフィルタＦのフィルタ係数群ｈ（ｈ0〜ｈN）は、「１」を、実測したスピーカ１２５のスピーカ特性で除することで算出された「逆特性」を実現するものとされる。図７（ａ）に逆特性のインパルス応答を、図７（ｂ）に逆特性の周波数特性を示す。この逆特性のインパルス応答を、デジタルフィルタＦのフィルタ係数ｈ0〜ｈNとすることができる。なお、フィルタ係数ｈ0〜ｈNの数（タップ数）は、インパルス応答のピーク数である。
【００４４】
音声信号処理部１２１は、このようにしてフィルタ係数群ｈを設定したデジタルフィルタＦにより、音声信号ＳＡに対して補正処理を行う。これにより、音声信号ＳＡに逆特性が付与され、スピーカ１２５によって放音された際にスピーカ特性と重畳される。すなわち、スピーカ１２５のスピーカ特性が補正される。図８（ａ）は音声信号ＳＡに補正処理を施した場合のスピーカ１２５のインパルス応答であり、図８（ｂ）はその周波数特性である。これらの図に示すように、インパルス応答のピークが先鋭化され、周波数特性もフラット化される。
【００４５】
つまり、例えば、図４のようにスピーカ１２５の正面位置におけるインパルス測定にて、図６（ａ）のようなインパルス応答と、図６（ｂ）のような周波数特性を有していた場合、この逆特性を算出すると、図７（ａ），（ｂ）のようになる。この逆特性のインパルス応答を音声信号処理部１２１においてデジタルフィルタＦで実現することにより、同じ測定点でスピーカ特性を測った場合、図８（ａ）のような平坦な周波数特性と、図８（ｂ）のようなインパルスに近いインパルス応答を得ることができる。
【００４６】
音声信号処理部１２２は、上述したように、スピーカ１２５の正面位置とは異なる位置（聴取位置）で測定されたインパルス応答の逆特性を実現するフィルタにより補正処理を行う。すなわち、この音声信号処理部１２２を構成するデジタルフィルタＦのフィルタ係数群ｈは、以下のようにして決定される。
【００４７】
フィルタ係数群ｈの決定は、スピーカ１２５の正面位置とは異なる位置（聴取位置）で測定されたインパルス応答の測定結果を基に行う。図９に示すように、インパルス応答の測定は、スピーカ１２５と、聴取位置におけるマイク１３１を用いて行う。この場合、上述した音声信号処理部１２１によりスピーカ１２５のスピーカ特性が補正されていても、スピーカ１２５からマイク１３１への音の届き方が変化し、音の回折や反射の影響により、インパルス応答や周波数特性が乱れる。
【００４８】
スピーカ１２５にＴＳＰ（Time Stretched Pulse：時間引き伸ばしパルス）信号などの測定用信号を供給し、スピーカ１２５から放音させる。その音声を、マイク１３１を用いて測定し、インパルス応答を得る。図１０は、この場合の音声系の構成を示している。この場合、測定用信号は、音声信号処理部１２１で補正されると共に、Ｄ／Ａ変換器１２３でデジタル信号からアナログ信号に変換され、さらに、アンプ１２４で増幅された後に、スピーカ１２５に供給される。
【００４９】
図１１（ａ）は、マイク１３１で測定されたインパルス応答の例を示す。同図に示すグラフの横軸は時間であり縦軸は振幅である。図１１（ａ）に示したインパルス応答をフーリエ変換（時間領域信号を周波数領域信号へ変換）することにより、図１１（ｂ）に示す周波数特性を得ることができる。同図に示すグラフの横軸は周波数であり、縦軸は振幅である。図１１（ａ），（ｂ）に示したような特性が聴取位置におけるスピーカ１２５のスピーカ特性である。
【００５０】
音声信号処理部１２２を構成するデジタルフィルタＦのフィルタ係数群ｈは、図１１（ａ），（ｂ）に示した聴取位置におけるスピーカ１２５のスピーカ特性が聴取位置における理想的なスピーカ特性に補正されるように、決定される。理想的なスピーカ特性とは、聴取位置においてスピーカ１２５のインパルス応答を測定した際と同一の距離をおいて理想的なスピーカとマイクが対向しているとして、マイクに集音されるべきインパルス応答およびその周波数特性である。ここでは、理想的なスピーカ特性として、インパルスのピークが先鋭であり、周波数特性がフラットなものを例とするが、これには限られず、任意に設定可能である。
【００５１】
音声信号処理部１２２を構成するデジタルフィルタＦのフィルタ係数群ｈ（ｈ0〜ｈN）は、「１」を、実測したスピーカ１２５のスピーカ特性で除することで算出された「逆特性」を実現するものとされる。図１２（ａ）に逆特性のインパルス応答を、図１２（ｂ）に逆特性の周波数特性を示す。この逆特性のインパルス応答を、デジタルフィルタＦのフィルタ係数ｈ0〜ｈNとすることができる。なお、フィルタ係数ｈ0〜ｈNの数（タップ数）は、インパルス応答のピーク数である。
【００５２】
音声信号処理部１２２は、このようにしてフィルタ係数群ｈを設定したデジタルフィルタＦにより、音声信号ＳＡに対して補正処理を行う。これにより、音声信号に逆特性が付与され、スピーカ１２５によって放音された際にスピーカ特性と重畳される。すなわち、聴取位置におけるスピーカ１２５のスピーカ特性が補正される。図１３（ａ）は音声信号に補正処理を施した場合のスピーカ１２５のインパルス応答であり、図１３（ｂ）はその周波数特性である。これらの図に示すように、インパルス応答のピークが先鋭化され、周波数特性もフラット化されている。
【００５３】
つまり、音声信号処理部１２１においてスピーカ逆フィルタ処理が施されたものにあって、例えば、図９のように聴取位置（リスニングポイント）におけるインパルス測定にて、図１１（ａ），（ｂ）のようなインパルス応答、周波数特性を有していたとする。この場合、この逆特性を算出すると、図１２（ａ），（ｂ）のようになる。この逆特性のインパルス応答を音声信号処理部１２２においてデジタルフィルタＦで実現することで、同じ測定点でスピーカ特性を測った場合、図１３（ａ）のような平坦な周波数特性と、図１３（ｂ）のようなインパルスに近いインパルス応答を得ることができる。
【００５４】
図１に示すデジタルフォトフレーム１００の画像／音声出力部１０６における音声系の動作を説明する。ＢＧＭ等の音声出力時に、音声信号ＳＡは音声信号処理部１２１に供給される。この音声信号処理部１２１では、音声信号ＳＡに対して、スピーカ１２５の正面位置で測定されたインパルス応答の逆特性を実現するフィルタにより補正処理が行われる。これにより、音声信号ＳＡに逆特性が付与され、スピーカ１２５によって放音された際にスピーカ特性と重畳される。すなわち、スピーカ１２５のスピーカ特性が補正される。
【００５５】
音声信号処理部１２１の出力音声信号は、音声信号処理部１２２に供給される。この音声信号処理部１２２では、音声信号ＳＡに対して、スピーカ１２５の正面位置とは異なる位置（聴取位置）で測定されたインパルス応答の逆特性を実現するフィルタにより補正処理が行われる。これにより、音声信号ＳＡに逆特性が付与され、スピーカ１２５によって放音された際にスピーカ特性と重畳される。すなわち、聴取位置におけるスピーカ１２５のスピーカ特性が補正される。
【００５６】
音声信号処理部１２１の出力音声信号はＤ／Ａ変換器１２３に供給され、デジタル信号からアナログ信号に変換される。このＤ／Ａ変換器１２３から出力されるアナログの音声信号は、アンプ１２４で増幅された後に、スピーカ１２５に供給される。スピーカ１２５からは、音声信号に対応した音声が出力される。
【００５７】
上述したように、図１に示すデジタルフォトフレーム１００においては、画像／音声出力部１０６の音声系では、音声信号処理部１２１の補正処理により、スピーカ１２５が持つ固有の音圧周波数特性や位相特性の乱れが補正される。また、この音声系では、音声信号処理部１２２の補正処理により、聴取位置（リスニングポイント）がスピーカ１２５の正面位置とは異なることによる、音圧周波数特性や位相特性の乱れが補正される。したがって、スピーカ１２５が正面向きに配置されていなくても、高音質化を図ることができる。つまり、良好な音像定位および音質を持たせることができる。
【００５８】
＜２．第２の実施の形態＞
［デジタルフォトフレームの構成例］
図１４は、第２の実施の形態としてのデジタルフォトフレーム１００Ａの構成例を示している。この図１４において、図１と対応する部分には、同一符号を付し、適宜、その詳細説明を省略する。このデジタルフォトフレーム１００Ａは、制御部１０１Ａと、ユーザ操作部１０２と、内蔵メモリ１０３と、外部メモリインタフェース１０４と、通信インタフェース１０５と、画像／音声出力部１０６とを有し、各部は内部バス１０７により互いに接続されている。
【００５９】
画像／音声出力部１０６は、画像系として、重畳部１１１と、パネル駆動部１１２と、表示パネル１１３を有している。また、画像／音声出力部１０６は、音声系として、音声信号処理部（音声信号処理部（Ａ））１２１と、音声信号処理部（音声信号処理部（Ｂ））１２２Ａと、Ｄ／Ａ変換器１２３と、アンプ１２４と、スピーカ１２５を有している。
【００６０】
画像／音声出力部１０６の音声系の音声信号処理部１２２Ａは、図１のデジタルフォトフレーム１００の画像／音声出力部１０６の音声系の音声信号処理部１２２に対応する。この音声信号処理部１２２Ａは、音声信号処理部１２２と同様に、音声信号ＳＡに対して、スピーカ１２５の正面位置とは異なる位置（聴取位置）で測定されたインパルス応答の逆特性を実現するフィルタにより補正処理を行う。
【００６１】
音声信号処理部１２２Ａは、音声信号処理部１２２のデジタルフィルタＦに設定されているフィルタ係数群ｈが固定であるのに対して、デジタルフィルタＦのフィルタ係数群ｈの設定を変更可能とされている。この音声信号処理部１２２ＡのデジタルフィルタＦのフィルタ係数群ｈの設定変更は、制御部１０１Ａの制御のもと、ユーザのフィルタ係数群ｈの選択操作に基づいて行われる。この場合、制御部１０１Ａは、フィルタ係数群設定部を構成する。
【００６２】
制御部１０１Ａは、図１のデジタルフォトフレーム１００の制御部１０１に対応し、制御部１０１と同様に、ＣＰＵ、ＲＯＭ、ＲＡＭ等を備え、デジタルフォトフレーム１００Ａの各部を制御する。この制御部１０１Ａは、保持部１０１ａを有している。この保持部１０１ａは、音声信号処理部１２２ＡのデジタルフィルタＦに設定するフィルタ係数群ｈとして、デジタルフォトフレーム１００Ａ、つまりスピーカ１２５の設置状況に応じた複数のフィルタ係数群ｈを保持している。この保持部１０１ａは、フィルタ係数群保持部を構成する。
【００６３】
図１５は、デジタルフォトフレーム１００Ａの設置状況の一例を示している。保持部１０１ａは、「壁掛け」、「リビングテーブル（壁際）」、「リビングテーブル（中央）」、「ベッドサイド」、「玄関」などの各設置状況に応じたフィルタ係数群ｈを保持している。聴取位置における音圧周波数特性や位相特性の乱れは、スピーカの設置状況によって、変化する。各設置状況のフィルタ係数群ｈは、それぞれの設置状況において、上述した図１における音声信号処理部１２２のデジタルフィルタＦのフィルタ係数群ｈと同様にして、聴取位置におけるインパルス測定を行うことで、決定されたものである。
【００６４】
図１６のフローチャートは、制御部１０１Ａにおけるフィルタ係数設定の処理手順の一例を示している。制御部１０１Ａは、ステップＳＴ１において、処理を開始し、その後に、ステップＳＴ２の処理に移る。このステップＳＴ２において、制御部１０１Ａは、ユーザのフィルタ係数群ｈの選択操作のために、図１５に示すような選択メニューを表示パネル１１３に表示する。この場合、制御部１０１Ａは、この選択メニューの表示信号Ｓuiを発生する。なお、図１５は、「リビングテーブル（中央）」のフィルタ係数群ｈが選択されている状態を示している。
【００６５】
次に、ステップＳＴ３でユーザが所望のフィルタ係数群ｈを選択すると、制御部１０１Ａは、ステップＳＴ４において、保持部１０１ａからそのフィルタ係数群ｈを取り出し、音声信号処理部１２２ＡのデジタルフィルタＦに設定する。その後、制御部１０１Ａは、ステップＳＴ５において、処理を終了する。
【００６６】
詳細説明は省略するが、図１４に示すデジタルフォトフレーム１００Ａのその他は、図１に示すデジタルフォトフレーム１００と同様に構成され、同様に動作する。
【００６７】
上述したように、図１４に示すデジタルフォトフレーム１００Ａにおいては、音声信号処理部１２２Ａの補正処理により、聴取位置がスピーカ１２５の正面位置とは異なることによる、音圧周波数特性や位相特性の乱れが補正される。そのため、スピーカ１２５が正面向きに配置されていなくても、高音質化を図ることができる。このことは、図１に示すデジタルフォトフレーム１００と同様である。
【００６８】
また、この図１４に示すデジタルフォトフレーム１００Ａにおいては、音声信号処理部１２２ＡのデジタルフィルタＦのフィルタ係数群ｈに関して、設定変更が可能とされている。そのため、音声信号処理部１２２ＡのデジタルフィルタＦのフィルタ係数群ｈを、デジタルフォトフレーム１００Ａ、つまりスピーカ１２５の設置状況に対応したフィルタ係数群ｈに設定変更できる。したがって、デジタルフォトフレーム１００Ａ、つまりスピーカ１２５の設置状況に依らずに高音質化が可能となる。
【００６９】
また、この図１４に示すデジタルフォトフレーム１００Ａにおいては、音声信号処理部１２２ＡのデジタルフィルタＦのフィルタ係数群ｈの設定変更を行う際に、表示パネル１１３に選択メニュー（図１５参照）が表示される。そのため、ユーザは、デジタルフォトフレーム１００Ａ、つまりスピーカ１２５の設置状況に対応したフィルタ係数群ｈを、容易に選択できる。
【００７０】
＜３．第３の実施の形態＞
［デジタルフォトフレームの構成例］
図１７は、第３の実施の形態としてのデジタルフォトフレーム１００Ｂの構成例を示している。この図１７において、図１と対応する部分には、同一符号を付し、適宜、その詳細説明を省略する。このデジタルフォトフレーム１００Ｂは、制御部１０１Ｂと、ユーザ操作部１０２と、内蔵メモリ１０３と、外部メモリインタフェース１０４と、通信インタフェース１０５と、画像／音声出力部１０６とを有し、各部は内部バス１０７により互いに接続されている。
【００７１】
画像／音声出力部１０６は、画像系として、重畳部１１１と、パネル駆動部１１２と、表示パネル１１３を有している。また、画像／音声出力部１０６は、音声系として、音声信号処理部（音声信号処理部（Ａ））１２１と、音声信号処理部（音声信号処理部（Ｂ））１２２Ｂと、Ｄ／Ａ変換器１２３と、アンプ１２４と、スピーカ１２５を有している。
【００７２】
画像／音声出力部１０６の音声系の音声信号処理部１２２Ｂは、図１のデジタルフォトフレーム１００の画像／音声出力部１０６の音声系の音声信号処理部１２２に対応する。この音声信号処理部１２２Ｂは、音声信号処理部１２２と同様に、音声信号ＳＡに対して、スピーカ１２５の正面位置とは異なる位置（聴取位置）で測定されたインパルス応答の逆特性を実現するフィルタにより補正処理を行う。
【００７３】
音声信号処理部１２２Ｂは、音声信号処理部１２２のデジタルフィルタＦに設定されているフィルタ係数群ｈが固定であるのに対して、デジタルフィルタＦのフィルタ係数群ｈの設定を変更可能とされている。この音声信号処理部１２２ＢのデジタルフィルタＦのフィルタ係数群ｈの設定変更は、制御部１０１Ｂの制御のもと、デジタルフォトフレーム１００Ｂ、つまり表示パネル１１３の設置角度、すなわち、横置きか縦置きかに基づいて行われる。この場合、制御部１０１Ｂは、フィルタ係数群設定部を構成する。図１８（ａ）はデジタルフォトフレーム１００Ｂが横置きされた状態を示し、図１８（ｂ）はデジタルフォトフレーム１００Ｂが縦置きされた状態を示している。
【００７４】
制御部１０１Ｂは、図１のデジタルフォトフレーム１００の制御部１０１に対応し、制御部１０１と同様に、ＣＰＵ、ＲＯＭ、ＲＡＭ等を備え、デジタルフォトフレーム１００Ｂの各部を制御する。この制御部１０１Ｂは、保持部１０１ｂを有している。この保持部１０１ｂは、音声信号処理部１２２ＢのデジタルフィルタＦに設定するフィルタ係数群ｈとして、デジタルフォトフレーム１００Ｂの横置きおよび縦置きに対応したフィルタ係数群ｈを保持している。この保持部１０１ｂは、フィルタ係数群保持部を構成する。
【００７５】
センサ１４１は、デジタルフォトフレーム１００Ｂが横置きか縦置きかを検出し、その検出出力を制御部１０１Ｂに送る。このセンサ１４１は、例えば、ジャイロセンサのような角速度センサ、重力加速度センサ、あるいは磁気センサなどにより構成される。このセンサ１４１は、設置角度検出部を構成する。
【００７６】
聴取位置における音圧周波数特性や位相特性の乱れは、デジタルフォトフレーム１００Ｂ、つまり表示パネル１１３の設置角度（横置き、縦置き）によって、変化する。横置きおよび縦置きに対応したフィルタ係数群ｈは、それぞれの設置角度において、上述した図１における音声信号処理部１２２のデジタルフィルタＦのフィルタ係数群ｈと同様にして、聴取位置におけるインパルス測定を行うことで、決定されたものである。
【００７７】
図１９のフローチャートは、制御部１０１Ｂにおけるフィルタ係数設定の処理手順の一例を示している。制御部１０１Ｂは、ステップＳＴ１１において、処理を開始し、その後に、ステップＳＴ１２の処理に移る。このステップＳＴ１２において、制御部１０１Ｂは、センサ１４１の検出出力に基づいて、デジタルフォトフレーム１００Ｂが横置きであるか縦置きであるかを判断する。
【００７８】
次に、制御部１０１Ｂは、ステップＳＴ１３において、ステップＳＴ１２の判断に基づいて横置きかあるいは縦置きのフィルタ係数群ｈを選択する。そして、制御部１０１Ｂは、ステップＳＴ１４において、ステップＳＴ１３で選択されたフィルタ係数群ｈを保持部１０１から選択的に取り出し、音声信号処理部１２２ＢのデジタルフィルタＦに設定する。その後、制御部１０１Ｂは、ステップＳＴ１５において、処理を終了する。
【００７９】
詳細説明は省略するが、図１７に示すデジタルフォトフレーム１００Ｂのその他は、図１に示すデジタルフォトフレーム１００と同様に構成され、同様に動作する。
【００８０】
上述したように、図１７に示すデジタルフォトフレーム１００Ｂにおいては、図１に示すデジタルフォトフレーム１００と同様に、音声信号処理部１２２Ｂの補正処理により、聴取位置がスピーカ１２５の正面位置とは異なることによる、音圧周波数特性や位相特性の乱れが補正される。そのため、スピーカ１２５が正面向きに配置されていなくても、高音質化を図ることができる。このことは、図１に示すデジタルフォトフレーム１００と同様である。
【００８１】
また、この図１７に示すデジタルフォトフレーム１００Ｂにおいては、音声信号処理部１２２ＢのデジタルフィルタＦのフィルタ係数群ｈに関して、設定変更が可能とされている。そして、この音声信号処理部１２２ＢのデジタルフィルタＦのフィルタ係数群ｈは、センサ１４１の検出出力に基づいて、デジタルフォトフレーム１００Ｂの設置角度（横置き、縦置き）に対応したフィルタ係数群ｈに設定変更される。したがって、デジタルフォトフレーム１００Ｂ、つまり表示パネル１１３が縦置きか横置きかに依らずに高音質化が可能となる。
【００８２】
＜４．第４の実施の形態＞
［テレビ受信機の構成例］
図２０は、第４の実施の形態としてのテレビ受信機２００の構成例を示している。このテレビ受信機２００は、制御部２０１と、ユーザ操作部２０２と、ＨＤＤ（Hard Disk Drive）２０３と、マイク入力インタフェース２０４と、マイク２０５と、画像／音声出力部２０６を有し、各部は内部バス２０７により互いに接続されている。
【００８３】
制御部２０１は、テレビ受信機２００の各部を制御する。制御部２０１は、ＣＰＵ、ＲＯＭ、ＲＡＭ等を備えている。ＲＯＭは、ＣＰＵの制御プログラム等を記憶している。ＲＡＭは、ＣＰＵの制御処理に必要なデータの一時記憶等に用いられる。ＣＰＵは、ＲＯＭから読み出したプログラムやデータをＲＡＭ上に展開してプログラムを起動し、テレビ受信機２００の各部を制御する。
【００８４】
ユーザ操作部２０２は、ユーザインタフェースを構成し、制御部２０１に接続されている。このユーザ操作部２０２は、例えば、テレビ受信機２００の図示しない筐体面に配置されたキー、釦、ダイアル等、またはリモコンの送受信機、さらには表示パネル上に配置されたタッチパネルなどで構成される。ユーザは、ユーザ操作部２０２を用いて、テレビ受信機２００の電源のオン／オフの操作、選局操作その他の操作を行うことができる。
【００８５】
ＨＤＤ２０３は、画像信号の記録および再生を行う。マイク入力インタフェース２０４は、マイク２０５で集音されて得られた音声信号の入力を行う。なお、マイクインタフェース２０４とマイク２０５との接続としては、図示のようにケーブルを介しての有線接続の他に、無線接続も考えられる。
【００８６】
画像／音声出力部２０６について説明する。画像／音声出力部２０６は、デジタルチューナ２１１と、重畳部２１２と、パネル駆動部２１３と、表示パネル２１４を有している。また、画像／音声出力部２０６は、音声信号処理部（音声信号処理部（Ａ））２１５と、音声信号処理部（音声信号処理部（Ｂ））２１６と、Ｄ／Ａ変換器２１７と、アンプ２１８と、スピーカ２１９を有している。
【００８７】
デジタルチューナ２１１は、受信アンテナ（図示せず）で受信されたテレビ放送信号を処理して、ユーザ選局に対応した画像信号ＳＶおよび音声信号ＳＡを出力する。パネル駆動部２１３は、重畳部２１２を通じて供給される画像信号ＳＶから、表示パネル２１４に画像を表示するために必要となるパネル駆動信号を生成する。パネル駆動部２１３で生成されたパネル駆動信号は表示パネル２１４に送られ、表示パネル２１４がパネル駆動信号に応じて動作することで、受信画像が表示パネル２１４に表示される。
【００８８】
表示パネル２１４は、パネル駆動部２１３から送られてくるパネル駆動信号に基づいて画像を表示する。表示パネル２１４は、例えば、ＬＣＤ（Liquid Crystal Display）、ＰＤＰ（Plasma DisplayPanel）、あるいは有機ＥＬ（electro-luminescence）パネルなどで構成される。
【００８９】
重畳部２１２は、制御部２０１の制御のもと発生されるＧＵＩ（Graphical User Interface）画面用の表示信号Ｓuiを、画像信号ＳＶに重畳して、パネル駆動部２１３に供給する。このように、画像信号ＳＶに表示信号Ｓuiが重畳されることで、表示パネル２１４には、画像に重ねて、メニュー表示、番組表などのユーザインタフェース画面が表示される。
【００９０】
図２１は、テレビ受信機２００の外観を示している。このテレビ受信機２００は、全体として長方形状に形成されており、長方形状の筐体２２０に、表示パネル２１４が嵌め込まれた構成とされている。スピーカ２１９は、破線図示するように、背面に備えられている。なお、スピーカ２１９は、ステレオ再生のために、左音声用と右音声用との２つが設けられている。
【００９１】
図２０に戻って、次に、画像音声出力部２０６の音声系について説明する。なお、実際には左音声用と右音声用の２つの音声系があるが、各音声系は同様に構成されているので、ここでは、１つの音声系のみを説明することとする。
【００９２】
音声信号処理部２１５は一方の音声信号処理部を構成し、音声信号処理部２１６は他方の音声信号処理部を構成している。この実施の形態において、音声信号処理部２１５が前段にあり音声信号処理部２１６が後段にあるが、この順序は逆とされていてもよい。音声信号処理部２１５，２１６は、デジタルチューナ２１１で得られる音声信号（入力音声信号）ＳＡに対して直列的に処理を施し、スピーカ２１９を駆動するための出力音声信号を得る。
【００９３】
音声信号処理部２１５は、図１のデジタルフォトフレーム１００の音声信号処理部１２１に対応し、音声信号ＳＡに対して、スピーカ２１９の正面位置で測定されたインパルス応答の逆特性を実現するフィルタにより補正処理を行う。この音声信号処理部２１５のデジタルフィルタＦのフィルタ係数群ｈは、音声信号処理部１２２のデジタルフィルタＦのフィルタ係数群ｈと同様にして、スピーカ２１９の正面位置におけるインパルス測定を行うことで、決定されたものである。
【００９４】
音声信号処理部２１６は、図１のデジタルフォトフレーム１００の音声信号処理部１２２に対応する。この音声信号処理部２１６は、音声信号処理部１２２と同様に、音声信号ＳＡに対して、スピーカ１２５の正面位置とは異なる位置（聴取位置）で測定されたインパルス応答の逆特性を実現するフィルタにより補正処理を行う。
【００９５】
この音声信号処理部２１６は、音声信号処理部１２２のデジタルフィルタＦに設定されているフィルタ係数群ｈが固定であるのに対して、デジタルフィルタＦのフィルタ係数群ｈの設定変更が可能とされている。このフィルタ係数群ｈの設定は、制御部２０１の制御のもと行われるが、その詳細は後述する。
【００９６】
Ｄ／Ａ変換器２１７は、音声信号処理部２１６で得られた音声信号を、デジタル信号からアナログ信号に変換する。また、アンプ２１８は、Ｄ／Ａ変換器２１７で得られたアナログの音声信号を増幅して、スピーカ２１９に供給する。スピーカ２１９は、アンプ２１８から供給される音声信号に対応した音声を出力する。
【００９７】
図２０に示すテレビ受信機２００の動作を説明する。受信アンテナ（図示せず）で受信されたテレビ放送信号はデジタルチューナ２１１に供給される。このデジタルチューナ２１１では、テレビ放送信号が処理されて、ユーザ選局に対応した画像信号ＳＶおよび音声信号ＳＡが出力される。デジタルチューナ２１１から出力される画像信号ＳＶは、重畳部２１２を通じてパネル駆動部２１３に供給される。
【００９８】
パネル駆動部２１３では、画像信号ＳＶから、表示パネル２１４に画像を表示するために必要となるパネル駆動信号が生成される。このパネル駆動信号は表示パネル２１４に送られる。これにより、表示パネル２１４に、受信画像が表示される。また、制御部２０１の制御のもと、適宜なタイミングでＧＵＩ画面用の表示信号Ｓuiが発生される。この表示信号Ｓuiは重畳部２１２に供給され、画像信号ＳＶに重畳される。これにより、表示パネル２１４には、画像に重ねて、メニュー表示、番組表などのユーザインタフェース画面が表示される。
【００９９】
また、デジタルチューナ２１１から出力される音声信号ＳＡは、音声信号処理部２１５に供給される。この音声信号処理部２１５では、音声信号ＳＡに対して、スピーカ２１９の正面位置で測定されたインパルス応答の逆特性を実現するフィルタにより補正処理が行われる。これにより、音声信号ＳＡに逆特性が付与され、スピーカ２１９によって放音された際にスピーカ特性と重畳される。すなわち、スピーカ２１９のスピーカ特性が補正される。
【０１００】
この音声信号処理部２１５の出力音声信号は、音声信号処理部２１６に供給される。この音声信号処理部２１６では、音声信号ＳＡに対して、スピーカ２１９の正面位置とは異なる位置（聴取位置）で測定されたインパルス応答の逆特性を実現するフィルタにより補正処理が行われる。これにより、音声信号ＳＡに逆特性が付与され、スピーカ２１９によって放音された際にスピーカ特性と重畳される。すなわち、聴取位置におけるスピーカ２１９のスピーカ特性が補正される。
【０１０１】
音声信号処理部２１６の出力音声信号はＤ／Ａ変換器２１７に供給され、デジタル信号からアナログ信号に変換される。このＤ／Ａ変換器２１７から出力されるアナログの音声信号は、アンプ２１８で増幅された後に、スピーカ２１９に供給される。スピーカ２１９からは、表示パネル２１４に表示される受信画像に対応した、受信音声が出力される。
【０１０２】
次に、音声信号処理部２１６のデジタルフィルタＦにおけるフィルタ係数群ｈの設定処理について説明する。図２２のフローチャートは、制御部２０１におけるフィルタ係数設定の処理手順の一例を示している。制御部２０１は、ステップＳＴ２１において、処理を開始し、その後に、ステップＳＴ２２の処理に移る。このステップＳＴ２２において、制御部２０１は、インパルス応答の測定を行う。
【０１０３】
この場合、制御部２０１は、音声系の構成を、図２３に示す構成として、スピーカ２１９にＴＳＰ（Time Stretched Pulse：時間引き伸ばしパルス）信号などの測定用信号を供給し、スピーカ２１９から放音させる。そして、その音声を、マイク２０５を用いて測定し、インパルス応答を得る。この場合、マイク２０５は、図２１に示すように、聴取位置に置かれる。この意味で、マイク２０５は、インパルス応答測定部を構成する。
【０１０４】
次に、制御部２０１は、ステップＳＴ２３において、ステップＳＴ２２で測定されたインパルス応答に基づいて、音声信号処理部２１６のデジタルフィルタＦに設定すべきフィルタ係数群ｈを算出する。この場合、制御部２０１は、測定インパルス応答の逆特性を算出し、この逆特性のインパルス応答からフィルタ係数群ｈ（フィルタ係数ｈ0〜ｈN）を求める。そして、制御部２０１は、ステップＳＴ２４において、ステップＳＴ２３で算出されたフィルタ係数群ｈを、音声信号処理部２１６のデジタルフィルタＦに設定する。この意味で、制御部２０１は、フィルタ係数群算出部およびフィルタ係数設定部を構成する。その後、制御部２０１は、ステップＳＴ２５において、処理を終了する。
【０１０５】
上述したように、図２０に示すテレビ受信機２００においては、画像／音声出力部２０６の音声系では、音声信号処理部２１５の補正処理により、スピーカ２１９が持つ固有の音圧周波数特性や位相特性の乱れが補正される。また、この音声系では、音声信号処理部２１６の補正処理により、聴取位置（リスニングポイント）がスピーカ２１９の正面位置とは異なることによる、音圧周波数特性や位相特性の乱れが補正される。したがって、スピーカ２１９が正面向きに配置されていなくても、高音質化を図ることができる。つまり、良好な音像定位および音質を持たせることができる。
【０１０６】
また、図２０に示すテレビ受信機２００においては、音声信号処理部２１６のデジタルフィルタＦのフィルタ係数群ｈに関して、設定変更が可能とされている。そして、マイク２０５により聴取位置のインパルス応答を測定し、そのインパルス応答の逆特性を実現するフィルタ係数群ｈを算出して、音声信号処理部２１６のデジタルフィルタＦに設定可能とされている。そのため、聴取位置における音圧周波数特性や位相特性の乱れを確実に補正できる。つまり、音声信号処理部２１６のデジタルフィルタＦのフィルタ係数群ｈとして、使用環境に対応したものを設定でき、ユーザの実際の使用環境に依らずに高音質化が可能となる。
【０１０７】
＜５．変形例＞
「変形例１」
なお、上述第２の実施の形態は、デジタルフォトフレーム１００Ａを示しており、保持部１０１ａに保持される複数のフィルタ係数群ｈは、「壁掛け」、「リビングテーブル（壁際）」等のスピーカの設置状況に応じたものとなっている。このスピーカの設置位置状況としては、設置位置状況の他に、設置角度状況を含めることもできる。設置角度情報とは、例えば、横置きか縦置きかなどの状況である。
【０１０８】
「変形例２」
また、上述第２の実施の形態は、デジタルフォトフレーム１００Ａに適用したものであるが、同様の構成を、例えば、車載音声再生システム（カーオーディオシステム）に適用することが考えられる。すなわち、車内の聴取位置に応じた複数のフィルタ係数群ｈを保持しておき、聴取位置におけるスピーカのスピーカ特性を補正する音声信号処理部のデジタルフィルタのフィルタ係数群ｈを、任意に変更設定可能とするものである。
【０１０９】
図２４は、車内における聴取位置の一例を示している。この場合、フィルタ係数群保持部は、「運転席」、「助手席」、「後部座席」などの各聴取位置に応じたフィルタ係数群ｈを保持することとなる。聴取位置における音圧周波数特性や位相特性の乱れは、聴取位置によって、変化する。各聴取位置のフィルタ係数群ｈは、それぞれの聴取位置において、上述した図１における音声信号処理部１２２のデジタルフィルタＦのフィルタ係数群ｈと同様にして、その聴取位置におけるインパルス測定を行うことで、決定されたものとなる。
【０１１０】
「変形例３」
また、上述第３の実施の形態は、デジタルフォトフレーム１００Ｂに適用したものであるが、同様の構成を、例えば、ビデオカメラに適用することも考えられる。すなわち、ビデオカメラの表示パネル部分に一体的にスピーカが設置されるものにあって、ビデオカメラ本体に対する表示パネルの開き角が複数存在する場合に適用できる。この場合、センサにより表示パネルの開き角を検出し、聴取位置におけるスピーカのスピーカ特性を補正する音声信号処理部のデジタルフィルタのフィルタ係数群ｈとして、その開き角に対応したものを自動的に設定するものである。
【０１１１】
「その他」
また、上述実施の形態は、この発明をデジタルフォトフレームやテレビ受信機に適用したものを示した。しかし、この発明は、これらの機器だけなく、その他の音声再生を伴う機器（製品）、例えば、ビデオカメラ、タブレット型ＰＣ、携帯電話、デジタルカメラ、ノートＰＣ、携帯型ゲーム機、カーオーディオ、ドック型スピーカ等にも、同様に適用できる。
【０１１２】
また、上述実施の形態における、スピーカのスピーカ特性を補正する音声信号処理部と、聴取位置のスピーカのスピーカ特性を補正する音声信号処理部に関しては、ハードウェアで構成できる他、ソフトウェアで構成することもできる。すなわち、これらの補正処理をソフトウェア（プログラム）によりコンピュータを用いて行う構成も考えられる。
【産業上の利用可能性】
【０１１３】
この発明は、例えば、スピーカ正面位置とは異なる位置が聴取位置となる、いわゆるインビジブル・スピーカ・デザインが施されている音声再生システムを持つ機器（製品）に適用できる。
【符号の説明】
【０１１４】
１００，１００Ａ，１００Ｂ・・・デジタルフォトフレーム
１０１，１０１Ａ，１０１Ｂ・・・制御部
１０１ａ，１０１ｂ・・・保持部
１０２・・・操作部
１０３・・・内蔵メモリ
１０４・・・外部メモリインタフェース
１０５・・・通信インタフェース
１０６・・・画像／音声出力部
１０７・・・内部バス
１１１・・・重畳部
１１２・・・パネル駆動部
１１３・・・表示パネル
１１４・・・フレーム
１４１・・・センサ
１２１，１２２，１２２Ａ，１２２Ｂ・・・音声信号処理部
１２３・・・Ｄ／Ａ変換器
１２４・・・アンプ
１２５・・・スピーカ
１３１・・・マイク
２００・・・テレビ受信機
２０１・・・制御部
２０２・・・ユーザ操作部
２０３・・・ＨＤＤ
２０４・・・マイク入力インタフェース
２０５・・・マイク
２０６・・・画像／音声出力部
２１１・・・デジタルチューナ
２１２・・・重畳部
２１３・・・パネル駆動部
２１４・・・表示パネル
２１５，２１６・・・音声信号処理部
２１７・・・Ｄ／Ａ変換器
２１８・・・アンプ
２１９・・・スピーカ
２２０・・・筐体
【図１】
0005885918.tif 000002
【図２】
0005885918.tif 000003
【図３】
0005885918.tif 000004
【図４】
0005885918.tif 000005
【図５】
0005885918.tif 000006
【図９】
0005885918.tif 000007
【図１０】
0005885918.tif 000008
【図１４】
0005885918.tif 000009
【図１５】
0005885918.tif 000010
【図１６】
0005885918.tif 000011
【図１７】
0005885918.tif 000012
【図１８】
0005885918.tif 000013
【図１９】
0005885918.tif 000014
【図２０】
0005885918.tif 000015
【図２１】
0005885918.tif 000016
【図２２】
0005885918.tif 000017
【図２３】
0005885918.tif 000018
【図２４】
0005885918.tif 000019
【図６】
0005885918.tif 000020
【図７】
0005885918.tif 000021
【図８】
0005885918.tif 000022
【図１１】
0005885918.tif 000023
【図１２】
0005885918.tif 000024
【図１３】
0005885918.tif 000025